(57)【特許請求の範囲】
【請求項１】
通過ガス量に対応した流量信号を出力する流量測定手段と、前記流量信号を換算し実流量を計算する流量演算部と、所定の遮断値を保持するデータ保持部と、前記遮断値と前記実流量とを比較判定し、前記遮断値より前記実流量が大きいかあるいは合致する場合に遮断・警報信号を出力する流量判定部と、前記流量判定部の遮断・警報信号に基づき警告報知しガス通路を遮断する遮断警報手段と、遮断シーケンス中にもかかわらず遮断していない事を検知しアンサー信号を出力するアンサー信号検知手段と、前記アンサー信号を受け取ると所定回数遮断・警報信号を出力するカウント処理部とを備え、前記カウント処理部は、前記アンサー信号をカウントし所定回数に達するまではガス通路を遮断する前記遮断・警報信号を出力し、かつ所定回数に達すると前記遮断・警報信号の出力を停止することを特徴とするガス遮断装置。
【発明の詳細な説明】
【０００１】
【産業上の利用分野】
本発明は、ガスメータ以後のガス使用時に、ガス使用上の安全性を図るガス遮断装置に関するものである。
【０００２】
【従来の技術】
従来、この種のガス遮断装置は、図３に示すように、通過ガス量に応じて流量信号ｇを出力する流量測定手段１１、流量測定手段１１から送られる流量信号ｇを受けて実流量ｐを計算する流量演算部１２、所定の遮断値ｄを保持するデータ保持部１３、データ保持部１３が保持している遮断値ｄと流量演算部１２から送られてくる実流量ｐを比較判定し、データ保持部１３が保持している遮断値ｄより流量演算部１２が計算した実流量ｐが大きいかあるいは合致した場合に遮断・警報信号ｒを出力する流量判定部１４、流量判定部１４から送られてくる遮断・警報信号ｒに基づき警告報知しガス通路を遮断する遮断警報手段１５からなっている。
【０００３】
【発明が解決しようとする課題】
しかしながら、このようなガス遮断装置は、ガス遮断器具（ガス通路を遮断してガスの流入を防ぐ弁：遮断弁）が十分に作動しないでガス遮断の途中で引っかかったり、あるいは全く作動しなかった作動不良の時、遮断シーケンスに入っているにもかかわらずガス通路がふさがれていないのでガスの流入が可能となって新たな流量信号が計測されることとなり、安全を確保する為に流量信号が計測される毎に遮断信号を出力していた。
【０００４】
つまり、ガス遮断器具（遮断弁）の不具合による再度の遮断を流量信号の計測毎に際限なく行い、電源用の電池を無益に消耗するものであった。
【０００５】
そこで、本発明のガス遮断装置では、ガス遮断装置が遮断シーケンスに入っている場合には流量信号計測により発生する遮断信号の出力を制限することにより、電池の消耗を軽減してガス遮断装置の電源確保を図ることを目的とする。
【０００６】
【課題を解決するための手段】
上記目的を達成するために本発明のガス遮断装置は、通過ガス量に対応した流量信号を出力する流量測定手段と、前記流量信号を換算し実流量を計算する流量演算部と、所定の遮断値を保持するデータ保持部と、前記遮断値と前記実流量とを比較判定し、前記遮断値より前記実流量が大きいかあるいは合致する場合に遮断・警報信号を出力する流量判定部と、前記流量判定部の遮断・警報信号に基づき警告報知しガス通路を遮断する遮断警報手段と、遮断シーケンス中にもかかわらず遮断していない事を検知してアンサー信号を出力するアンサー信号検知手段と、前記アンサー信号を受け取ると所定回数遮断・警報信号を出力するカウント処理部とを備え、前記カウント処理部は、前記アンサー信号をカウントし所定回数に達するまではガス通路を遮断する前記遮断・警報信号を出力し、かつ所定回数に達すると前記遮断・警報信号の出力を停止するものである。
【０００７】
【作用】
上記構成により本発明は、遮断警報手段が遮断シーケンス中にもかかわらず遮断不良によりガス通路を遮断していない事を検知した時に発生するアンサー信号を所定のカウント数までカウントとし、それ以上のアンサー信号毎の遮断信号によるガス通路の遮断は実行不可能となこととし、遮断警報手段による無駄な遮断回数を制限する。
【０００８】
こうして遮断シーケンスにおける無意味な遮断信号の出力をなくし、電源用電池の消耗を防止する。
【０００９】
【実施例】
以下、本発明のガス遮断装置の一実施例を図面を参照して説明する。図１において、通過ガス量に応じて流量信号Ｇを出力する流量測定手段１、流量測定手段１から送られる流量信号Ｇを受けて演算し実流量Ｐを計算する流量演算部２、所定の遮断値を保持するデータ保持部３、データ保持部３に保持されている遮断値と流量演算部２から送られてくる実流量Ｐを受け比較判定してデータ保持部３が保持している遮断値より実流量Ｐが大きいかあるいは合致する場合に遮断・警報信号Ｒを出力する流量判定部４、流量判定部４から送られてくる遮断・警報信号Ｒを受け警告報知してガス通路を遮断する遮断警報手段５、遮断シーケンス中において流量信号Ｇを検知しアンサー信号Ａを出力するアンサー信号検知手段６、アンサー信号検知手段６から送られてくるアンサー信号Ａをカウントし所定のカウント（今、３回とする）に達するまで遮断信号Ｒを出力（３回以上遮断信号Ｒを出力しても遮断が不可能であると判定して３回以上の不必要な遮断動作を低減する。また遮断不可能と判断しても他事象による新たな遮断が発生するとさらに遮断信号を３回出力する。たとえばガス遮断装置の計量限界を超えた場合に発生する合計最大遮断中に遮断機能テスト用のテストスイッチを動作させて行うテスト遮断は３回まで受け付ける）するカウント処理部７からなっている。
【００１０】
図２に上記手段のプログラムフローを処理Ｔ１から処理Ｔ８に示す。今、処理開始から処理終了までのフローはインターバルカレンダ等により周期的に処理されるものとする。アンサー信号検知手段６において処理Ｔ１（各ブロック左上の数字）で遮断中であるかを判断し、遮断中でない場合は処理Ｔ７に移行し、遮断中である場合は処理Ｔ２に移行する。カウント処理部７において処理Ｔ２で別事象の遮断であるか判定し、別処理でなければ処理Ｔ４に移行し、別処理であれば処理Ｔ３へ移行する。処理Ｔ３はカウンタをクリアして処理Ｔ４へ移行する。処理Ｔ４はカウンタをカウントアップして処理Ｔ５へ移行する。処理Ｔ５は所定の遮断回数（３回）に至ったかを判断し、遮断回数に至ったならば処理を終了し、遮断回数に至らなかった場合は処理Ｔ６へ移行する。処理Ｔ６は遮断警報手段５を駆動させ処理を終了する。処理Ｔ７は遮断事象が初めて解除されたかを判断し、遮断が初めて解除されてなければ処理を終了し、遮断が初めて解除されたら処理Ｔ８へ移行する。処理Ｔ８はカウンタをクリアして処理を終了する。
【００１１】
また、アンサー信号検知手段として遮断警報手段（遮断弁）の遮断状況を遮断警報手段自身が発生する信号を検知してアンサー信号を出力する方法や、あるいはセンサ（たとえば、光センサにより遮断時に遮断警報手段がガス通路をふさぐ事を利用して光源を遮られた時に信号を出力する）により計測してアンサー信号を出力する方法もある。
【００１２】
【発明の効果】
以上の説明から明らかなように、本発明のガス遮断装置は、遮断シーケンス中にもかかわらず遮断警報手段がガス通路を遮断していない事を検知してアンサー信号を出力することで、このアンサー信号の出力回数をカウントし、所定のカウント数に達するまで遮断信号の出力を行うことにより、それ以上の遮断出力は無意味なものとして遮断信号を出力させないことにより遮断回数を軽減させ、正常に動作しない遮断警報手段の交換による修理を行ってもガス遮断装置自身の耐用年数の達成まで電源用電池の延命を図ることができる。
【図面の簡単な説明】
【図１】本発明の一実施例のガス遮断装置の機能を示すフローチャート
【図２】同装置の動作プログラムを説明するフローチャート
【図３】従来のガス遮断装置のフローチャート
【符号の説明】
１  流量測定手段
２  流量演算部
３  データ保持部
４  流量判定部
５  遮断警報手段
６  アンサー信号検知手段
７  カウント処理部
【図１】
0003677303.tif 000002
【図２】
0003677303.tif 000003
【図３】
0003677303.tif 000004